(57)【要約】【課題】ロケーション・スタッド・ピンを視覚的に遮蔽できて品物や荷物などを挟まれ難く引っ掛り難くする。【解決手段】ロケーション・プレート本体１１が、一端に据付けボルト穴１４を、他端にロケーション・ピン穴１５をそれぞれあけ、そして、ブラインド・ピン・カバー１２が、そのロケーション・プレート本体１１の他端においてそのロケーション・ピン穴１５をボディ・フロア３０のロケーション・スタッド・ピン３１にはめ合わせ状態で外側になるそのロケーション・プレート本体１１の外周部分に一体的に固定されてそのロケーション・プレート本体１１の上面１３に立ち上げられる。【選択図】　　　図２
2004058704.tif 000002
【特許請求の範囲】
【請求項１】
ロケーション・プレート本体が、一端に据付けボルト穴を、他端にロケーション・ピン穴をそれぞれあけ、そして、ブラインド・ピン・カバーが、そのロケーション・プレート本体の他端においてそのロケーション・ピン穴をボディ・フロアのロケーション・スタッド・ピンにはめ合わせ状態で外側になるそのロケーション・プレート本体の外周部分に一体的に固定されてそのロケーション・プレート本体の上面に立ち上げられるところのロケーション・プレート。
【発明の詳細な説明】
【０００１】
【発明の関係する分野】
この発明は、乗り物シートの据付の際、自動車のボディ・フロアにそのシートの位置決めに用いるロケーション・プレートに関する。
【０００２】
【背景技術】
通常、自動車のフロント・シートは、内側および外側のフロント・フロア・ブラケットと内側および外側のリア・フロア・ブラケットとを用いてその自動車のボディ・フロアに据え付けられる。そのフロント・シートは、予めその外側のリア・フロア・ブラケットにロケーション・プレートを溶接して置き、そして、その自動車のボディ・フロアのロケーション・スタッド・ピンにそのロケーション・プレートのロケーション・ピン穴をはめ合わせてそのボディ・フロアに位置決めされるのが一般である。ところが、そのロケーション・スタッド・ピンは、メッキの色がそのレッグと異なるので、ドアが開かれると、そのロケーション・スタッド・ピンは目に付き、また、品物や荷物などが挟まれたり、また、引っ掛り易い。
【０００３】
【発明の課題】
この発明の課題は、ロケーション・スタッド・ピンを視覚的に遮蔽できて品物や荷物などを挟まれ難く引っ掛り難くするところのロケーション・プレートの提供にある。
【０００４】
【課題に相応する手段およびそれの作用】
この発明は、ロケーション・プレート本体が、一端に据付けボルト穴を、他端にロケーション・ピン穴をそれぞれあけ、そして、ブラインド・ピン・カバーが、そのロケーション・プレート本体の他端においてそのロケーション・ピン穴をボディ・フロアのロケーション・スタッド・ピンにはめ合わせ状態で外側になるそのロケーション・プレート本体の外周部分に一体的に固定されてそのロケーション・プレート本体の上面に立ち上げられ、そして、ドアの開放状態において外側から見てそのブラインド・ピン・カバーでそのロケーション・スタッド・ピンを視覚的に遮蔽し、また、品物や荷物などをそのロケーション・スタッド・ピンに挟まれ難く引っ掛り難くする。
【０００５】
【具体例の説明】
以下、特定されて図示された具体例に基づいて、この発明のロケーション・プレートを説明するに、図１および図２は、乗用車のドライバ・シート２０に活用されるところのこの発明のロケーション・プレートの具体例１０を示し、そして、このロケーション・プレート１０では、ロケーション・プレート本体１１が、一端に据付けボルト穴１４を、他端にロケーション・ピン穴１５をそれぞれあけ、また、ブラインド・ピン・カバー１２が、そのロケーション・プレート本体１１の他端においてそのロケーション・ピン穴１５をボディ・フロア３０のロケーション・スタッド・ピン３１にはめ合わせ状態で外側になるそのロケーション・プレート本体１１の外周部分に溶接されてそのロケーション・プレート本体１１の上面１３に立ち上げられる。
【０００６】
そして、そのロケーション・プレート１０は、そのドライバ・シート２０をその乗用車のそのボディ・フロア３０に据え付ける内側および外側のフロント・フロア・ブラケット（図示せず）、内側のリア・フロア・ブラケット（図示せず）、および外側のリア・フロア・ブラケット２５の色に合わせて仕上げられる。
【０００７】
このロケーション・プレート１０を用いるそのドライバ・シート２０において、２２はシート・トラック、２３は固定レール、そして、２４は可動レールである。
【０００８】
したがって、このロケーション・プレート１０は、そのドライバ・シート２０が、予めシート・クッション２１にそのシート・トラック２２を組み付け、そして、そのシート・トラック２２にそのフロア・ブラケットを取り付けているので、先ず、そのロケーション・スタッド・ピン３１にそのロケーション・ピン穴１５をはめ合わせてそのボディ・フロア３０のボルト穴（図示せず）にその据付けボルト穴１４を穴合わせする。次に、そのドライバ・シート２０がそのロケーション・プレート１０のその据付けボルト穴１４にその外側のリア・フロア・ブラケット２５のボルト穴２６を合わせてそのボディ・フロア３０上に位置決めされる。
【０００９】
そこで、その外側のリア・フロア・ブラケット２５およびロケーション・プレート１０が、据付けボルトでそのボディ・フロア３０に共締めされる。そして、その内側および外側のフロント・フロア・ブラケットもその内側のリア・フロア・ブラケットもそれぞれ別の据付けボルトでそのボディ・フロア３０に締め付けられてそのドライバ・シート２０はそのボディ・フロア３０に据え付けられる。そのように、そのドライバ・シート２０がそのロケーション・プレート１０を活用してそのボディ・フロア３０に据え付けられると、そのロケーション・スタッド・ピン３１は、そのロケーション・プレート１０のそのブラインド・ピン・カバー１２で視覚的に遮蔽されてその乗用車のドアが開かれても目に付けず、また、品物や荷物などがそのロケーション・スタッド・ピン３１に挟まれたり引っ掛ることも未然に回避される。勿論、このロケーション・プレート１０は予めその外側のリア・フロア・ブラケット２５に溶接されてもかまわない。
【００１０】
先に図面を参照して説明されたところのこの発明の特定された具体例から明らかであるように、この発明の属する技術の分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ　ｃｏｍｍｅｎｓｕｒａｔｅ　ｗｉｔｈ）、そして、その発明の成立に必須である。
【００１１】
【発明の便益】
上述から理解されるように、この発明のロケーション・プレートは、ロケーション・プレート本体が、一端に据付けボルト穴を、他端にロケーション・ピン穴をそれぞれあけ、そして、ブラインド・ピン・カバーが、そのロケーション・プレート本体の他端においてそのロケーション・ピン穴をボディ・フロアのロケーション・スタッド・ピンにはめ合わせ状態で外側になるそのロケーション・プレート本体の外周部分に一体的に固定されてそのロケーション・プレート本体の上面に立ち上げられるので、この発明のロケーション・プレートでは、そのロケーション・スタッド・ピンが、ドアの開放状態において外側から見てそのブラインド・ピン・カバーで視覚的に遮蔽されて見映えが向上され、そして、品物や荷物などが、そのロケーション・スタッド・ピンに挟まれ難く引っ掛り難くなり、その結果、自動車シートにとって非常に有用で実用的である。
【図面の簡単な説明】
【図１】この発明のロケーション・プレートの具体例を活用する乗用車のドライバ・シートを据付け状態で示した部分側面図である。
【図２】そのロケーション・プレートを示した斜視図である。
【符号の説明】
１１　ロケーション・プレート本体
１２　ブラインド・ピン・カバー
１３　上面
１４　据付けボルト穴
１５　ロケーション・ピン穴
２１　シート・クッション
２２　シート・トラック
２３　固定レール
２４　可動レール
２５　外側のリア・フロア・ブラケット
２６　ボルト穴
３０　ボディ・フロア
３１　ロケーション・スタッド・ピン
【図１】
2004058704.tif 000003
【図２】
2004058704.tif 000004